(57)【要約】【課題】    ディスク基盤の間に接着剤を均一に分散塗布するディスク接着装置を提供する。【解決手段】上下方向に伸びる複数の吸気用チャンネル２７が形成された筒状の位置決め部材２６と、前記位置決め部材の内部に連結設置され、前記位置決め部材の上側へ伸びる接触部２３と、該接触部の外側に形成したリング状の凹溝２２と、該凹溝の底部に前記接触部を貫通し、前記位置決め部材の各吸気用チャンネルと対応する位置に設けられた吸気用チャネル２４を有するベースと、断面がＴ字形状であり、水平部分の底部とベースとの間に前記凹溝によって隙間が形成される上蓋１０と、分岐形状を呈し、分岐の一方が前記吸気用チャンネルと連結され、分岐の他方が基板の底面と接合され、分岐の合流後の一端が吸気装置と連結されるようになっている少なくとも一つの吸気パイプ３０と、を備える構成とした。【選択図】  図１
0003118733.tif 000002
【実用新案登録請求の範囲】
【請求項１】
上下方向に伸びる複数の吸気用チャンネルが形成された筒状の位置決め部材と、
前記位置決め部材の内部に連結設置され、前記位置決め部材の上側へ伸びる接触部と、該接触部の外側に形成したリング状の凹溝と、該凹溝の底部に前記接触部を貫通し、前記位置決め部材の各吸気用チャンネルと対応する位置に設けられた吸気用チャネルを有するベースと、
断面がＴ字形状であり、水平部分の底部とベースとの間に前記凹溝によって隙間が形成される上蓋と、
分岐形状を呈し、分岐の一方が前記吸気用チャンネルと連結され、分岐の他方が基板の底面と接合され、分岐の合流後の一端が吸気装置と連結されるようになっている少なくとも一つの吸気パイプと、
を備えることを特徴とするディスク接着装置。
【請求項２】
前記ベースの内側の壁に雌ねじが設けられ、前記上蓋の垂直部分の外側に該ベースの雌ねじと螺合する雄ねじが設けられることを特徴とする請求項１に記載のディスク接着装置。
【考案の詳細な説明】
【技術分野】
【０００１】
本考案は、特に、接着剤をディスクに均一に分散するディスク接着装置に関するものである。
【背景技術】
【０００２】
ＤＶＤなどのディスクは二枚の基板を積層してなり、各基板の中央に中央孔が形成され、該中央孔の外側にはリング状のセンターエリアが設けられており、更に該センターエリアの外側に、データを記録する可能な区域である記録エリアが設けられている。そして、前記各基板の間に接着剤を塗布することにより、各基板を貼り合わせるようになっている。
【０００３】
従来の基板を貼り合わせる方法では、各基板の中央孔をディスク接着装置に合わせて設置した後、基板を回転させ、その時に発生する遠心力を利用することにより、上下重ねた２枚の基板の間に接着剤を分散させるようにしている。
【考案の開示】
【考案が解決しようとする課題】
【０００４】
しかしながら、従来のディスクの接着装置では、基板が接着装置から脱離するのを吸引手段により防止しており、基板を回転させて遠心力によって接着剤を基板の外側へ分散しているが、基板のセンターエリアへは接着剤を均一に分散することができないという問題があり、更には、基板の間に気泡が発生してしまうというような問題点もあった。
【０００５】
そこで、案出されたのが本考案であって、接着剤をディスクに均一に分散するディスク接着装置を提供することを目的としている。
【課題を解決するための手段】
【０００６】
本願の請求項１の考案は、上下方向に伸びる複数の吸気用チャンネルが形成された筒状の位置決め部材と、前記位置決め部材の内部に連結設置され、前記位置決め部材の上側へ
伸びる接触部と、該接触部の外側に形成したリング状の凹溝と、該凹溝の底部に前記接触部を貫通し、前記位置決め部材の各吸気用チャンネルと対応する位置に設けられた吸気用チャネルを有するベースと、断面がＴ字形状であり、水平部分の底部とベースとの間に前記凹溝によって隙間が形成される上蓋と、分岐形状を呈し、分岐の一方が前記吸気用チャンネルと連結され、分岐の他方が基板の底面と接合され、分岐の合流後の一端が吸気装置と連結されるようになっている少なくとも一つの吸気パイプと、を備えることを特徴とする。
【０００７】
本願の請求項２の考案は、請求項１に記載のディスクの接着装置において、前記ベースの内側の壁に雌ねじが設けられ、前記上蓋の垂直部分の外側に該ベースの雌ねじと螺合する雄ねじが設けられることを特徴とする。
【考案の効果】
【０００８】
本考案は上記の課題を解決するものであり、ディスクの底面と中央孔の内縁に対する吸気パイプと吸気用チャンネルが設けられることにより、接着剤が遠心力によってディスクの記録エリアへ分散される一方で、気体の吸引によってセンターエリアにも分散されるようにしたので、接着剤をディスクの全体に均一に分散塗布することができると共に、気泡の発生も防止できる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係るディスク接着装置の使用状態を示す断面図であり、図２は本考案に係るディスク接着装置の斜視図であり、図３は本考案に係るディスク接着装置の断面図であり、図４は本考案に係るディスク接着装置によって製造したディスクの一部断面斜視図である。
【００１１】
図１乃至図３により、本考案に係るディスク接着装置の構成を以下に説明する。
まず一番外側には、複数の吸気用チャンネル（貫通孔）２７が上下方向に貫通して内部に形成されている筒状の位置決め部材２６が配置されている。。
そして、前記位置決め部材２６の内方に筒状のベース２０が配置される。ベース２０は、内側壁に雌ねじ２１が設けられ、上側には前記位置決め部材２６の上側まで伸びている接触部２３が配置されている。接触部２３の外部表面にはリング状の凹溝２２が形成されていて、凹溝２２の底面と連通させるよう接触部２３を貫通して、位置決め部材２６の吸気用チャンネル２７と対応する位置に、吸気用チャネル（貫通孔）２４が形成されている。
また、位置決め部材２６とベース２０の上には上蓋１０が配置されている。上蓋１０は断面がＴ字形状をなし、垂直部分の外側には前記ベース２０の雌ねじ２１と螺合する雄ねじ１１が設けられ、水平部分の底部とベース２０上部との間に前記凹溝２２によって隙間が形成されている。
更にまた、分岐形状を呈する少なくとも一つの吸気パイプ３０が配置されていて、吸気パイプ３０の片方の分岐部は前記吸気用チャンネル２４，２７と連通し、他方の分岐部はディスク基板４１の底面に接合されている。そして、分岐部が吸気チャンネルと合流したパイプの一端が吸気装置（符号なし）に連結されている。
【００１２】
図１及び図４を参照して、本考案に係るディスク接着装置を用いるてディスク基板を接着する工程を説明する。
先ず、ディスク４０の両基板４１の間に接着剤５０を塗布してから、基板４１の間に存在する隙間をベース２０の凹溝２２に合わせるようにして該ディスク４０の中心孔４４を上蓋１０とベース２０の間に位置決めると、基板が位置決め部材２６によって支持される。この状態で、ディスク４０を、上蓋１０、ベース２０、及び位置決め部材２６と一緒に回転させれば、接着剤５０が遠心力によって記録エリア４３に分散させられると共に、吸気装置と連結している吸気パイプ３０と吸気用チャンネル２４，２７により、ディスク４０を本考案の装置に位置決めしながら、接着剤５０をディスク４０のセンターエリア４２へも分散するので、接着剤５０をディスク４０全体に均一に塗布することができると共に、気泡の発生も防止できる。
【産業上の利用可能性】
【００１３】
本考案は上記の構成を有するので、ディスクの底面と中央孔の内縁に対する吸気パイプと吸気用チャンネルが設けられることにより、接着剤が遠心力によってディスクの記録エリアへ分散される一方、気体の吸引によってセンターエリアに分散し、接着剤をディスクの全体に均一に塗布し、気泡の発生も防止することができる。
【図面の簡単な説明】
【００１４】
【図１】本考案に係るディスクの接着装置の実施例１の使用状態を示す断面図である。
【図２】本考案に係るディスクの接着装置の斜視図である。
【図３】本考案に係るディスクの接着装置の断面図である。
【図４】本考案に係るディスクの接着装置によって製造したディスクの一部断面斜視図である。
【符号の説明】
【００１５】
１０        上蓋
１１        雄ねじ
２０        ベース
２１        雌ねじ
２２        凹溝
２３        接触部
２４        吸気用チャンネル
２６        位置決め部材
２７        吸気用チャンネル
３０        吸気パイプ
４０        ディスク
４１        基板
４２        センターエリア
４３        記録エリア
４４        中央孔
５０        接着剤
【図１】
0003118733.tif 000003
【図２】
0003118733.tif 000004
【図３】
0003118733.tif 000005
【図４】
0003118733.tif 000006